(57)【要約】【課題】調光を適切に実施できる調光装置及びプロジェクターを提供すること。【解決手段】入射される光束の通過光量を調整する調光装置７は、それぞれ当該光束の中心軸に直交する方向に沿って移動し、当該光束の少なくとも一部を遮光する第１遮光部（遮光部７３３）及び第２遮光部（遮光部７４３）と、第１遮光部における光束の入射側及び出射側の一方に間隔を隔てて配置され、当該第１遮光部とともに移動する第１整流部（整流部７５１）と、を備え、第１整流部は、第２遮光部側の端部に、当該第２遮光部側に傾斜し、第２遮光部側とは反対側から第１遮光部との間に流通する空気を第２遮光部に導く導風部７５２を有する。【選択図】図６
2014085368.tif 000002
【特許請求の範囲】
【請求項１】
入射される光束の通過光量を調整する調光装置であって、
それぞれ前記光束の中心軸に直交する方向に沿って移動し、前記光束の少なくとも一部を遮光する第１遮光部及び第２遮光部と、
前記第１遮光部における前記光束の入射側及び出射側の一方に間隔を隔てて配置され、当該第１遮光部とともに移動する第１整流部と、を備え、
前記第１整流部は、前記第２遮光部側の端部に、当該第２遮光部側に傾斜し、前記第２遮光部側とは反対側から前記第１遮光部との間に流通する空気を前記第２遮光部に導く導風部を有することを特徴とする調光装置。
【請求項２】
光源装置と、
前記光源装置から出射された光束を変調する光変調装置と、
前記光変調装置により変調された光束を投射する投射光学装置と、
請求項１に記載の調光装置と、
前記調光装置に空気を送出して、当該調光装置を冷却する冷却装置と、を備え、
前記第１遮光部及び前記第２遮光部は、前記光源装置から出射されて前記光変調装置に入射される光束の光路上に設けられることを特徴とするプロジェクター。
【請求項３】
請求項２に記載のプロジェクターにおいて、
前記光源装置から出射された光束を複数の部分光束に分割する第１レンズアレイと、
前記第１レンズアレイにより分割された前記複数の部分光束を前記光変調装置に照射する第２レンズアレイと、を備え、
前記第１遮光部及び前記第２遮光部は、前記第１レンズアレイと前記第２レンズアレイとの間に、前記第１整流部に対して前記第２レンズアレイ側に配置されることを特徴とするプロジェクター。
【請求項４】
請求項３に記載のプロジェクターにおいて、
前記第１遮光部及び前記第２遮光部は、前記第１遮光部及び前記第２遮光部において互いに対向する側の端部に、前記第２レンズアレイ側に傾斜して前記光束の少なくとも一部を遮光する傾斜部を有し、
前記導風部は、前記第１遮光部及び前記第２遮光部が移動して近づいた場合に、前記第２遮光部の傾斜部に向けて前記空気を導風することを特徴とするプロジェクター。
【請求項５】
請求項２から請求項４のいずれかに記載のプロジェクターにおいて、
前記第１遮光部に対する前記第１整流部側に前記第２遮光部と間隔を隔てて配置され、当該第２遮光部とともに移動する第２整流部を備えることを特徴とするプロジェクター。
【請求項６】
請求項５に記載のプロジェクターにおいて、
前記第１遮光部における前記第２遮光部側の端部は、前記第１整流部における同じ側の端部より前記第２遮光部側に位置し、
前記第２遮光部における前記第１遮光部側の端部は、前記第２整流部における同じ側の端部より前記第１遮光部側に位置していることを特徴とするプロジェクター。
【発明の詳細な説明】
【技術分野】
【０００１】
本発明は、調光装置及びプロジェクターに関する。
【背景技術】
【０００２】
従来、光源装置と、当該光源装置から出射された光を変調する光変調装置と、変調された光束を投射する投射光学装置とを備えたプロジェクターが知られている。このようなプロジェクターとして、光変調装置に入射される光量を調整して、投射される画像の輝度を調整するプロジェクターが知られている（例えば、特許文献１参照）。
【０００３】
この特許文献１に記載のプロジェクターは、一対の光源装置、反射ミラー、調光装置、照明光学装置、色分離光学装置、光変調装置としての３つの液晶パネル、プリズム、及び、投射光学装置としての投射レンズを備える。このプロジェクターでは、当該各光源装置から出射された光は、反射ミラーにより同方向に反射され、調光装置を介して照明光学装置に入射される。当該照明光学装置により、光軸に対する直交面内の照度が均一化された光は、色分離光学装置により、赤（Ｒ）、緑（Ｇ）及び青（Ｂ）の色光に分離される。当該各色光は、対応する液晶パネルにより変調され、色光毎の変調光がプリズムにより合成される。このプリズムにより合成された光が、画像として投射レンズにより投射される。
【０００４】
ところで、特許文献１に記載のプロジェクターが備える調光装置は、一対の遮光部材を備え、当該各遮光部材は、照明光軸に対する直交方向にそれぞれ進退して、光束の通過領域に挿抜される。このように、各遮光部材により当該通過領域の面積を調整することで、各液晶パネルに入射される光量、すなわち、形成される画像の光量（輝度）を調整することができる。
【先行技術文献】
【特許文献】
【０００５】
【特許文献１】特開２０１０−２１１０３５号公報
【発明の概要】
【発明が解決しようとする課題】
【０００６】
ここで、上記調光装置では、一対の遮光部材が光束の通過領域内に挿抜されるため、当該遮光部材の温度が高くなりやすい。特に、光源装置に放電光源ランプが採用されている場合には、光通過領域において照明光軸に近い領域の温度が遠い領域の温度に比べて高いため、一対の遮光部材における互いに近接する側の端部の温度が高くなりやすい。
一方、近年では、画像の高輝度化の要望が強くなっており、当該要望に対する１つの解決策として、発光輝度が高い光源装置が採用されることが多くなっている。このような光源装置が採用されると、上記遮光部材の温度が更に高くなって、当該遮光部材が劣化する場合があり、調光装置による調光が適切に行われなくなるという問題がある。
【０００７】
このような問題に対して、例えば、下側の遮光部材の下方から空気を送出し、各遮光部材を冷却する方法が挙げられる。
しかしながら、下方から上方に流通する空気は、下側に位置する遮光部材の下端部にて分断されてしまい、当該空気が進行するに従って遮光部材から離れてしまうため、各遮光部材（特に、上側の遮光部材）を適切に冷却できないという問題がある。
【０００８】
本発明は、調光を適切に実施できる調光装置及びプロジェクターを提供することを目的の一つとする。
【課題を解決するための手段】
【０００９】
本発明の第１態様に係る調光装置は、入射される光束の通過光量を調整する調光装置であって、それぞれ前記光束の中心軸に直交する方向に沿って移動し、前記光束の少なくとも一部を遮光する第１遮光部及び第２遮光部と、前記第１遮光部における前記光束の入射側及び出射側の一方に間隔を隔てて配置され、当該第１遮光部とともに移動する第１整流部と、を備え、前記第１整流部は、前記第２遮光部側の端部に、当該第２遮光部側に傾斜し、前記第２遮光部側とは反対側から前記第１遮光部との間に流通する空気を前記第２遮光部に導く導風部を有することを特徴とする。
【００１０】
以下の説明では、便宜上、第１遮光部から第２遮光部に向かう方向を第１方向とし、第２遮光部に対する第１遮光部の配置側を第１方向基端側とし、第１遮光部に対する第２遮光部の配置側を第１方向先端側とする。
上記第１態様によれば、調光装置は、第１遮光部と間隔を隔てて配置され、当該第１遮光部とともに移動する第１整流部を備えている。これによれば、第１方向先端側に流通する空気（第１遮光部において第２遮光部側とは反対側から流通する空気）が、第１遮光部における第１方向基端側の端部にて分断される場合でも、当該空気の一部を第１遮光部と第１整流部との間に流通させることができ、当該第１遮光部を冷却できる。
【００１１】
また、第１整流部は、第１方向先端側の端部（第２遮光部側の端部）に、第２遮光部側に傾斜して、第１整流部と第１遮光部との間を第１方向先端側に流通する空気を当該第２遮光部に導く導風部を有する。これによれば、第１整流部と第１遮光部との間を流通した空気を、確実に第２遮光部に向けて流通させることができ、当該第２遮光部を冷却できる。
従って、光が入射されて高温になりやすい第１遮光部及び第２遮光部に空気を確実に送風でき、当該第１遮光部及び第２遮光部を適切に冷却できる。そして、これにより、第１遮光部及び第２遮光部の劣化を抑制でき、調光を適切に実施できる。
【００１２】
また、本発明の第２態様に係るプロジェクターは、光源装置と、前記光源装置から出射された光束を変調する光変調装置と、前記光変調装置により変調された光束を投射する投射光学装置と、前述の調光装置と、前記調光装置に空気を送出して、当該調光装置を冷却する冷却装置と、を備え、前記第１遮光部及び前記第２遮光部は、前記光源装置から出射されて前記光変調装置に入射される光束の光路上に設けられることを特徴とする。
【００１３】
上記第２態様によれば、前述の調光装置と同様の効果を奏することができる。
また、第１遮光部及び第２遮光部が、光源装置から光変調装置に入射される光束の光路上に配置されるので、当該光変調装置に入射される光量を確実に調整できる。従って、光変調装置により形成される画像のコントラストを向上できる。
【００１４】
上記第２態様では、前記光源装置から出射された光束を複数の部分光束に分割する第１レンズアレイと、前記第１レンズアレイにより分割された前記複数の部分光束を前記光変調装置に照射する第２レンズアレイと、を備え、前記第１遮光部及び前記第２遮光部は、前記第１レンズアレイと前記第２レンズアレイとの間に、前記第１整流部に対して前記第２レンズアレイ側に配置されることが好ましい。
【００１５】
上記第２態様によれば、第１レンズアレイ及び第２レンズアレイにより、光源装置から出射された光束の中心軸に対する直交面内の照度が均一化された光束を光変調装置に照射することができる。従って、当該光変調装置により形成される画像に輝度むらが生じることを抑制できる。
ここで、各遮光部による遮光位置が、当該各遮光部を通過した光が直接入射される光学部品に近いほど、各遮光部を全閉状態（各遮光部により最大限に遮光した状態）とした場合の光の漏れ量は少なくなる。
これに対し、上記第２態様では、第１遮光部及び第２遮光部は、第１整流部に対して第２レンズアレイ側に位置するように、第１レンズアレイと第２レンズアレイとの間に配置される。これによれば、各遮光部を上記全閉状態とした場合の光の漏れ量を少なくすることができる。従って、調光装置による光量調節を適切に実施できる。
【００１６】
上記第２態様では、前記第１遮光部及び前記第２遮光部は、前記第１遮光部及び前記第２遮光部において互いに対向する側の端部に、前記第２レンズアレイ側に傾斜して前記光束の少なくとも一部を遮光する傾斜部を有し、前記導風部は、前記第１遮光部及び前記第２遮光部が移動して近づいた場合に、前記第２遮光部の傾斜部に向けて前記空気を導風することが好ましい。
【００１７】
ここで、第１遮光部及び第２遮光部が、光束の中心軸に対して対称に配置され、かつ、当該各遮光部の移動量が同じである場合、これら第１遮光部及び第２遮光部による遮光量の調整が最も簡易となる。このような構成を有する調光装置の遮光位置は、各遮光部における互いに対向する側の端部の位置となる。
そして、上記第２態様では、第１遮光部及び第２遮光部は、当該各端部に、第２レンズアレイ側に傾斜して光束の少なくとも一部を遮光する傾斜部を有する。これによれば、前述の遮光位置をより第２レンズアレイ側に位置させることができる。従って、調光装置による光量調節をより適切に実施できる。
【００１８】
また、第１整流部が有する導風部が、第１遮光部及び第２遮光部が移動して近づいた場合に、当該第２遮光部の傾斜部に向けて前述の空気を導風する。これによれば、第２遮光部において光が入射される頻度が最も高く、かつ、入射光量が多いことから、当該第２遮光部において最も高温となりやすい傾斜部に、導風部により空気を確実に導風できる。従って、第２遮光部を効果的に冷却できる。更に、当該傾斜部に導風された空気は、第２遮光部に沿って第１方向先端側に流通することとなるので、当該第２遮光部全体を冷却できる。
【００１９】
加えて、第１遮光部の光束出射側の端面と第２レンズアレイとの間を、空気が上記第１方向先端側に流通する場合、当該空気は、第１遮光部における傾斜部に当たることとなる。これによれば、当該第１遮光部において最も高温となりやすい傾斜部に、空気を確実に流通させることができる。従って、第１遮光部を効果的に冷却できる。
【００２０】
上記第２態様では、前記第１遮光部に対する前記第１整流部側に前記第２遮光部と間隔を隔てて配置され、当該第２遮光部とともに移動する第２整流部を備えることが好ましい。
【００２１】
上記第２態様によれば、第１遮光部に対する第１整流部側と同じ側に、第２遮光部と間隔を隔てて第２整流部が配置される。これによれば、第１遮光部に沿って流通した空気を、第２遮光部と第２整流部との間に流通させることができる。従って、当該第２遮光部を冷却できる。
ここで、第２遮光部に前述の傾斜部が設けられ、導風部が当該傾斜部に空気を導風する場合には、当該傾斜部により、傾斜部に向かって流通した空気を第２遮光部と第２整流部との間に導くことができる。従って、第２遮光部をより効果的に冷却できる。
【００２２】
上記第２態様では、前記第１遮光部における前記第２遮光部側の端部は、前記第１整流部における同じ側の端部より前記第２遮光部側に位置し、前記第２遮光部における前記第１遮光部側の端部は、前記第２整流部における同じ側の端部より前記第１遮光部側に位置していることが好ましい。
【００２３】
上記第２態様によれば、第１遮光部及び第２遮光部において互いに対向する側の端部に入射される光が、第１整流部及び第２整流部によって遮光されることを防止できる。すなわち、当該光が第１整流部及び第２整流部により遮光されることで、前述の遮光位置が、後段の光学部品（例えば、前述の第２レンズアレイ）から遠ざかってしまうことを防止できる。従って、前述の光の漏れ量を確実に少なくすることができる。
【図面の簡単な説明】
【００２４】
【図１】本発明の一実施形態に係るプロジェクターの構成を示す模式図。
【図２】前記実施形態における各遮光部材が全閉状態である調光装置を示す斜視図。
【図３】前記実施形態における各遮光部材が全開状態である調光装置を示す斜視図。
【図４】前記実施形態における各遮光部材が全閉状態である調光装置を示す側面図。
【図５】前記実施形態における各遮光部材が全開状態である調光装置を示す側面図。
【図６】前記実施形態における各遮光部材が全閉状態である場合の空気の流れを説明する図。
【図７】前記実施形態における各遮光部材が全開状態である場合の空気の流れを説明する図。
【発明を実施するための形態】
【００２５】
以下、本発明の一実施形態について、図面に基づいて説明する。
［プロジェクターの概略構成］
図１は、本実施形態に係るプロジェクター１の構成を示す模式図である。
本実施形態に係るプロジェクター１は、後述する光源装置３１から出射された光を変調し、変調された光をスクリーン等の被投射面上に拡大投射することで、当該被投射面上に画像を表示する。このようなプロジェクター１は、図１に示すように、筐体２と、当該筐体２内に収納される光学ユニット３及び冷却装置９とを備える。この他、図示を省略するが、プロジェクター１は、当該プロジェクター１を制御する制御装置、及び、当該プロジェクター１を構成する電子部品に電力を供給する電源装置を備える。
これらのうち、冷却装置９は、詳しい図示を省略するが、冷却ファンと、当該冷却ファンから送出された空気を後述する照明光学装置３２の下方に導くダクトとを備えて構成されている。
【００２６】
［光学ユニットの構成］
光学ユニット３は、光学部品用筐体４と、光学部品用筐体４に支持される光源装置３１及び各種光学装置３２〜３４と、電気光学装置５及び投射光学装置６とを備える。
具体的に、光学部品用筐体４は、各種光学部品を収納する溝部（図示省略）が形成された部品収納部材と、当該部品収納部材に形成された部品収納用の開口部を閉塞する蓋状部材とを備え、これらは合成樹脂又は金属により形成されている。このような光学部品用筐体４には、光源装置３１、照明光学装置３２、色分離光学装置３３及びリレー光学装置３４が取り付けられる。
【００２７】
光源装置３１は、光源ランプ３１１及びリフレクター３１２を有し、照明光学装置３２に光束を出射する。
照明光学装置３２は、光源装置３１から出射された光束の中心軸に対する直交面内の照度を均一化する。この照明光学装置３２は、第１レンズアレイ３２１、調光装置７、第２レンズアレイ３２２、偏光変換素子３２３及び重畳レンズ３２４を有する。
第１レンズアレイ３２１は、詳しい図示を省略するが、光源装置３１から出射された光束を複数の部分光束に分割する複数の第１小レンズがマトリクス状に配列された構成を有する。また、第２レンズアレイ３２２は、第１レンズアレイ３２１の各第１小レンズに応じた複数の第２小レンズがマトリクス状に配列された構成を有する。そして、第２レンズアレイ３２２及び重畳レンズ３２４は、入射される各部分光束を後述する液晶パネル５３の画像形成領域に照射して、当該画像形成領域を均一に照明する。
【００２８】
偏光変換素子３２３は、入射された光の偏光方向を一種類に揃える。
調光装置７は、第１レンズアレイ３２１を介して第２レンズアレイ３２２に入射される光の少なくとも一部を遮蔽して、当該第２レンズアレイ３２２、ひいては、液晶パネル５３に入射される光量を調整する。なお、調光装置７の構成については、後に詳述する。
【００２９】
色分離光学装置３３は、照明光学装置３２から入射される光束を、赤（Ｒ）、緑（Ｇ）及び青（Ｂ）の３つの色光に分離する。この色分離光学装置３３は、ダイクロイックミラー３３１，３３２及び反射ミラー３３３を有する。
リレー光学装置３４は、分離された３つの色光のうち、赤色光の光路上に設けられる。このリレー光学装置３４は、入射側レンズ３４１、リレーレンズ３４３及び反射ミラー３４２，３４４を有する。このリレー光学装置３４は、分離された赤色光の光路（光変調装置５３に到達するまでの光路）が、他の色光の光路に比べて長いため、当該赤色光の損失を抑制するものである。
【００３０】
電気光学装置５は、分離された各色光を画像情報に応じて変調した後、変調された各色光を合成する。この電気光学装置５は、それぞれ色光ごとに設けられる３つのフィールドレンズ５１、３つの入射側偏光板５２、光変調装置としての３つの液晶パネル５３、及び、３つの出射側偏光板５４と、変調された各色光を合成する色合成光学装置としてのクロスダイクロイックプリズム５５とを有する。
投射光学装置６は、クロスダイクロイックプリズム５５により合成された光束（画像を形成する光束）を前述の被投射面上に拡大投射する投射レンズである。
【００３１】
これら光源装置３１、各光学装置３２〜３４、電気光学装置５及び投射光学装置６は、光学部品用筐体４内に設定された照明光軸Ａｘに対する所定位置に位置付けられる。このため、光源装置３１が光学部品用筐体４内に収納された際には、当該光源装置３１から出射される光束の中心軸は、照明光軸Ａｘと一致する。
【００３２】
［調光装置の構成］
図２及び図３は、調光装置７を光束出射側から見た斜視図である。これらのうち、図２は、遮光部材７３，７４が全閉状態（遮光量が最も多い状態であり、各遮光部材７３，７４を最も近接させた状態）にある場合の調光装置７を示している。また、図３は、遮光部材７３，７４の全開状態（遮光量が最も少ない状態であり、各遮光部材７３，７４を最も離間させた状態）を示している。
なお、以下の説明にて、光源装置３１から出射された光束の進行方向をＺ方向とし、当該Ｚ方向に直交する方向のうち、鉛直方向とは反対方向（上方に向かう方向）をＹ方向（上記第１方向）とし、Ｚ方向基端側から見て左から右に向かう方向をＸ方向とする。なお、光束の進行方向は、前述のようにダイクロイックミラー３３１等により屈曲されるが、Ｘ、Ｙ及びＺ方向は、本明細書では、光源装置３１から射出された時点での光束の進行方向に基づいて設定されるものとする。
また、例えば「ある構成が他の構成に対するＺ方向先端側に位置する」との記載は、当該構成が他の構成に対して＋Ｚ方向側に位置することを示し、「ある構成が他の構成のＺ方向基端側に位置する」との記載は、当該構成が他の構成に対して−Ｚ方向側に位置することを示す。Ｘ方向及びＹ方向においても同様である。
【００３３】
調光装置７は、前述のように、第１レンズアレイ３２１から第２レンズアレイ３２２に入射される光の一部を遮蔽する。この調光装置７は、図２及び図３に示すように、駆動手段７１と、筐体７２と、一対の遮光部材７３，７４とを備える。
【００３４】
駆動手段７１は、遮光部材７３，７４を移動させる駆動力を発生させる。この駆動手段７１の駆動は、前述の制御装置により制御される。なお、本実施形態では、駆動手段７１は、ステッピングモーターにより構成されているが、他の構成を採用してもよい。
筐体７２は、略直方体形状に形成され、駆動手段７１が取り付けられる。この他、図示を省略するが、筐体７２内には、遮光部材７３，７４を支持し、当該駆動手段７１の駆動力により当該遮光部材７３，７４を移動させるギア等の伝達手段が設けられている。このような筐体７２には、照明光軸Ａｘに対する直交方向（具体的にはＹ方向）に沿うガイド溝７２１，７２２が、Ｚ方向にずれて形成されている。すなわち、ガイド溝７２１は、ガイド溝７２２に対してＺ方向基端側に形成されている。更に、筐体７２には、当該筐体７２を光学部品用筐体４に固定するための固定部７２３が設けられている。
【００３５】
遮光部材７３は、本発明の第１遮光部材に相当し、遮光部材７４は、本発明の第２遮光部材に相当する。これら遮光部材７３，７４は、本実施形態では、ステンレス鋼により形成された板状部材である。そして、遮光部材７３，７４は、駆動手段７１及び伝達手段により、照明光軸Ａｘに対する直交方向であるＹ方向に沿って互いに近接及び離間する方向に同じ寸法分だけ移動する。
【００３６】
このような遮光部材７３は、ガイド溝７２１に挿入され、筐体７２内部で支持される支持部７３１と、当該支持部７３１から略直角に折れ曲がり、Ｚ方向とは反対方向に延出する延出部７３２と、当該延出部７３２に対して略直角に折れ曲がり、Ｘ方向に延出する遮光部７３３とを有する。
同様に、遮光部材７４は、ガイド溝７２２に挿入され、筐体７２内で支持される支持部７４１と、当該支持部７４１の端部からＺ方向とは反対方向に延出する延出部７４２と、延出部７４２の端部からＸ方向に延出する遮光部７４３とを有する。
【００３７】
遮光部７３３，７４３は、それぞれ板状に形成されており、ＸＹ平面に沿うように配置される。これら遮光部７３３，７４３は、第１レンズアレイ３２１と第２レンズアレイ３２２との間に、照明光軸Ａｘを中心とする対称位置に配置される。具体的に、遮光部７３３は、照明光軸Ａｘに対するＹ方向基端側（−Ｙ方向側）に配置され、遮光部７４３は、当該照明光軸Ａｘに対するＹ方向先端側（＋Ｙ方向側）に配置される。
そして、遮光部材７３，７４がＹ方向に沿って進退すると、遮光部７３３，７４３は、第１レンズアレイ３２１から第２レンズアレイ３２２に入射される光束の通過領域内に挿抜され、当該光束を遮光する。これにより、第２レンズアレイ３２２に入射される光量が調整される。
【００３８】
ここで、延出部７４２のＺ方向に沿う寸法は、延出部７３２のＺ方向に沿う寸法より長い。これは、遮光部７３３における光束入射側の端面７３３１と、遮光部７４３における光束入射側の端面７４３１とをほぼ同一平面上に配置するための措置である。すなわち、支持部７４１が挿入されるガイド溝７２２の位置が、支持部７３１が挿入されるガイド溝７２１の位置よりＺ方向先端側に位置するため、延出部７３２におけるＺ方向に沿う寸法は、延出部７４２におけるＺ方向に沿う寸法より長くなっている。なお、ガイド溝７２１，７２２の位置関係、及び、遮光部７３３，７４３の配置位置によっては、延出部７３２のＺ方向に沿う寸法が延出部７４２の同方向の寸法より長くてもよい。
【００３９】
また、遮光部７３３，７４３において互いに対向する端部（それぞれ照明光軸Ａｘ側の端部）には、Ｚ方向先端側（すなわち第２レンズアレイ３２２側）に傾斜する傾斜部７３３２，７４３２が形成されている。これら傾斜部７３３２，７４３２は、光束の通過領域内に遮光部７３３，７４３が挿入されたときに、当該光束を遮蔽する主要部である。このような傾斜部７３３２，７４３２が設けられていることにより、遮光部材７３，７４による遮光位置が、端面７３３１，７４３１より第２レンズアレイ３２２側に近づくため、第２レンズアレイ３２２に漏れる光の量を低減させている。
なお、傾斜部７３３２，７４３２の照明光軸Ａｘに対する傾斜角は、本実施形態では、それぞれ同じ角度であり、更に当該傾斜部７３３２，７４３２による反射光が光源装置３１に向かわないように設定されている。しかしながら、これに限らず、それぞれ異なる傾斜角であってもよい。
【００４０】
図４及び図５は、調光装置７を示す側面図である。これらのうち、図４は、図２で示した状態、すなわち、一対の遮光部材７３が全閉状態にある調光装置７を示している。また、図５は、図３で示した状態、すなわち、遮光部材７３，７４が全開状態にある調光装置７を示している。
更に、調光装置７は、図４及び図５に示すように、遮光部材７３に設けられる整流板７５と、遮光部材７４に設けられる整流板７６とを備える。
【００４１】
整流板７５は、端面７３３１の一部を覆うように当該端面７３３１の光束入射側に設けられる。同様に、整流板７６は、端面７４３１の一部を覆うように当該端面７４３１の光束入射側に設けられる。これら整流板７５，７６は、熱伝導性の高い金属により形成され、本実施形態では、遮光部材７３，７４と同じ金属（ステンレス鋼）により形成されている。詳述すると、Ｙ方向の両端部をＸ方向に沿って折曲加工した板状体を、端面７３３１，７４３１に溶接することで、整流板７５，７６が構成されている。
このような整流板７５，７６は、光束が入射されることにより高温となる遮光部材７３，７４と熱伝導可能に接続されており、当該各整流板７５，７６は、遮光部材７３，７４の放熱面積を拡大して、当該遮光部材７３，７４の冷却効果を高める機能を有する。
【００４２】
また、整流板７５は、端面７３３１に対して所定間隔を隔てて配置される整流部７５１を有し、整流板７６は、端面７４３１に対して所定間隔を隔てて配置される整流部７６１を有する。これら整流部７５１及び端面７３３１の間の寸法（Ｚ方向に沿う寸法）と、整流部７６１及び端面７４３１の間の寸法（Ｚ方向に沿う寸法）とは同じである。
このような整流部７５１と遮光部７３３との間の空間Ｓ１内、及び、整流部７６１と遮光部７４３との間の空間Ｓ２内には、前述の冷却装置９（図１参照）から送風された空気がＹ方向先端側（＋Ｙ方向側）に流通する流路が形成される。このように、整流部７５１，７６１は、Ｙ方向基端側に位置する冷却装置９から送出された空気を、端面７３３１，７４３１に沿って流通させる機能を有する。すなわち、整流部７５１は、本発明の第１整流部に相当し、整流部７６１は、本発明の第２整流部に相当する。
【００４３】
このような整流部７５１におけるＹ方向先端側の端部（遮光部材７４側の端部）は、遮光部材７３の傾斜部７３３２における同方向の端部よりＹ方向基端側（−Ｙ方向側）に位置している。換言すると、当該傾斜部７３３２におけるＹ方向先端側の端部は、整流部７５１における同方向の端部より、Ｙ方向先端側（すなわち、照明光軸Ａｘ側）に位置している。
同様に、整流部７６１におけるＹ方向基端側の端部（遮光部材７３側の端部）は、遮光部材７４の傾斜部７４３２における同方向の端部よりＹ方向先端側（＋Ｙ方向側）に位置している。換言すると、当該傾斜部７４３２におけるＹ方向基端側の端部は、整流部７６１における同方向の端部より、Ｙ方向基端側（すなわち、照明光軸Ａｘ側）に位置している。
これは、端面７３３１，７４３１より光束入射側に位置する整流部７５１，７６１により光が遮蔽され、調光装置７による遮光位置が、第２レンズアレイ３２２に対して傾斜部７３３２，７４３２よりＺ方向基端側（−Ｚ方向側）になることを防ぐためである。これにより、第２レンズアレイ３２２に漏れる光の量を確実に低減させることができる。
【００４４】
整流板７５，７６のうち、冷却装置９から送出される空気の上流側に位置する整流板７５の整流部７５１における下流側の端部、すなわち、当該整流部７５１におけるＹ方向先端側（＋Ｙ方向側）の端部には、空間Ｓ１内を流通した空気を遮光部材７４に導く導風部７５２が形成されている。この導風部７５２は、Ｚ方向先端側及びＹ方向先端側に向かって傾斜する部分であり、換言すると、Ｙ方向先端側に向かうに従ってＺ方向先端側（遮光部７３３に近接する方向）に傾斜した部分である。この導風部７５２は、空間Ｓ１内をＹ方向先端側に向かって流通する空気を、Ｚ方向先端側に向けて流通させる。換言すると、当該導風部７５２は、遮光部７３３，７４３が移動して互いに近づいた場合に、当該遮光部７４３の傾斜部に向けて空気を導風する。このような導風部７５２の照明光軸Ａｘに対する角度は、本実施形態では、遮光部材７３，７４を全閉状態とした場合に当該空気が傾斜部７４３２に向かう角度に設定されている。
【００４５】
［冷却空気の流れ］
図６及び図７は、遮光部材７３，７４が全閉状態及び全開状態にある場合の空気の流れを示す図である。なお、図６及び図７においては、調光装置７の筐体７２や、遮光部材７３，７４における支持部７３１，７４１及び延出部７３２，７４２等、一部の構成の図示を省略している。
冷却装置９から送出された空気は、照明光学装置３２の各光学部品を冷却する。
これらのうち、第２レンズアレイ３２２と偏光変換素子３２３との間を流通する空気は、図６及び図７に示すように、Ａ９１方向に沿ってＹ方向先端側（＋Ｙ方向側）に流通し、当該第２レンズアレイ３２２の光束出射側及び偏光変換素子３２３の光束入射側を冷却する。また、偏光変換素子３２３と重畳レンズ３２４との間を流通する空気は、Ａ９２方向に沿ってＹ方向先端側に流通し、当該偏光変換素子３２３の光束出射側及び重畳レンズ３２４の光束入射側を冷却する。
【００４６】
［第１レンズアレイと整流部との間を流通する空気の流れ］
第１レンズアレイ３２１と整流板７５との間を流通する空気は、当該第１レンズアレイ３２１の光束出射側の端面、及び、整流板７５の光束入射側の端面に沿ってＡ１１方向に流通し、更に、整流板７６の光束入射側の端面に沿ってＡ１２方向に流通して、これらを冷却する。これにより、第１レンズアレイ３２１からの光束の通過領域内に挿入されて高温となる遮光部材７３，７４の熱が伝導される整流板７５，７６が、当該空気により冷却される。
【００４７】
［整流部と遮光部との間を流通する空気の流れ］
整流部７５１と遮光部７３３との間の空間Ｓ１をＡ２１方向に流通する空気は、当該整流板７５と遮光部材７３とを冷却する。この後、導風部７５２により、空気の流通方向は、Ｚ方向先端側に変更され、当該空気は、Ａ２２方向に沿って流通する。
ここで、遮光部材７３，７４が移動して互いに近づき、相対的に光束の遮光量が大きいとき、又は、図６の全閉状態である場合、導風部７５２により流通方向がＺ方向先端側に変更された空気は、図６に示すように、遮光部材７４の傾斜部７４３２に向けて流通する。このため、傾斜部７４３２に効果的に空気が送風され、当該傾斜部７４３２が効率よく冷却される。
この傾斜部７４３２に送風された空気は、当該傾斜部７４３２に沿ってＡ２３方向に流通し、整流部７６１と端面７４３１との間の空間Ｓ２内を流通する。これにより、遮光部材７４と、当該遮光部材７４の熱が伝導される整流板７６が冷却される。
【００４８】
一方、遮光部材７３，７４が移動して互いに離れ、相対的に光束の遮光量が小さいとき、又は、図７の全開状態である場合、導風部７５２により流通方向がＺ方向先端側に変更された空気は、図７に示すように、第２レンズアレイ３２２の光束入射側の端面に沿って、Ａ２Ａ方向に流通する。そして、当該空気の一部は、傾斜部７４３２により整流部７６１と端面７４３１との間の空間Ｓ２内に導かれ、当該空間Ｓ２内をＡ２３方向に流通する。これにより、遮光部材７３，７４が全閉状態である場合と同様に、遮光部材７４及び整流板７６が冷却される。また、他の一部の空気は、遮光部材７４と第２レンズアレイ３２２との間をＡ３３方向に流通する。これにより、遮光部材７４及び第２レンズアレイ３２２が冷却される。
前述の通り、遮光部材７３，７４が全開状態でなく、全閉状態より開いた状態（互いが離間した状態）である場合も同様である。
【００４９】
［遮光部と第２レンズアレイとの間を流通する空気の流れ］
遮光部７３３と第２レンズアレイ３２２との間に冷却装置９から送出された空気は、遮光部材７３，７４が全閉状態である場合には、図６に示すように、当該遮光部７３３と第２レンズアレイ３２２との間をＡ３１方向に沿って流通する。これにより、当該遮光部７３３と第２レンズアレイ３２２におけるＹ方向基端側の領域とが冷却される。
その後、当該空気の流通方向は、傾斜部７３３２によって、Ａ３２方向（すなわちＺ方向先端側）に変更される。この際、傾斜部７３３２における光束出射側の面に、空気が当たることで、高温となりやすい傾斜部７３３２が効率よく冷却される。
そして、傾斜部７３３２によって当該傾斜部７３３２の先端部と第２レンズアレイ３２２との隙間に導かれた空気は、遮光部７４３と第２レンズアレイ３２２との間をＡ３３方向に流通する。これにより、遮光部７４３と第２レンズアレイ３２２におけるＹ方向先端側の領域とが冷却される。
【００５０】
一方、図７に示すように、遮光部材７３，７４が全開状態である場合でも前述の場合と同様に、遮光部７３３の光束出射側の面に沿ってＡ３１方向に流通した空気は、傾斜部７３３２により、Ａ３２方向に流通する。
この空気は、傾斜部７３３２の先端部と第２レンズアレイ３２２との隙間を介してＹ方向先端側へと流通し、前述の空間Ｓ１内を流通した空気と合流する。そして、当該空気は、第２レンズアレイ３２２の光束入射側の端面に沿ってＡ２Ａ方向に流通し、当該第２レンズアレイ３２２を冷却する。ここで、遮光部材７３，７４が全開状態である場合には、第２レンズアレイ３２２の中央部分に入射される光量が多くなり、当該中央部分が高温となる。これに対し、当該中央部分を空気が流通することで、当該中央部分を冷却できる。
【００５１】
そして、前述のように、Ａ２Ａ方向に流通した空気のうち、一部の空気は、傾斜部７４３２により導かれてＡ２３方向に流通し、これにより、遮光部７４３及び整流板７６が冷却される。また、他の一部の空気は、遮光部７４３に沿ってＡ３３方向に流通し、これにより、遮光部７４３及び第２レンズアレイ３２２が冷却される。
なお、遮光部材７３，７４が全開状態でなく、全閉状態より開いた状態である場合も同様である。
【００５２】
以上説明した本実施形態に係るプロジェクター１によれば、以下の効果がある。
遮光部材７３には、当該遮光部材７３とともに移動する整流板７５が設けられ、当該整流板７５は、遮光部７３３に対して間隔を隔てて配置される整流部７５１を有する。これによれば、Ｙ方向先端側に流通する空気が、遮光部７３３におけるＹ方向基端側の端部にて分断される場合でも、分断された一方の空気を遮光部７３３と整流部７５１との間に流通させることができ、当該遮光部材７３を冷却できる。
【００５３】
また、整流部７５１におけるＹ方向先端側の端部（遮光部材７４側の端部）には、遮光部材７４側に傾斜して、Ｙ方向先端側に流通する空気を傾斜部７４３２に導く導風部７５２が設けられている。これによれば、整流部７５１と遮光部７３３との間を流通した空気を、確実に傾斜部７４３２に流通させることができ、当該空気により遮光部７４３（傾斜部７４３２）を冷却できる。
従って、光が入射されて高温になりやすい各遮光部７３３，７４３に空気を確実に流通させることができ、当該各遮光部７３３，７４３を適切に冷却できる。そして、これにより、当該各遮光部７３３，７４３の劣化を抑制でき、調光を適切に実施できる。
【００５４】
更に、遮光部７３３，７４３は、第１レンズアレイ３２１と第２レンズアレイ３２２との間に配置され、当該第１レンズアレイ３２１から第２レンズアレイ３２２に入射される光束の中心軸を中心とする対称位置に配置されている。これによれば、光変調装置としての液晶パネル５３に入射される光量を確実に調整できる。従って、形成及び投射される画像のコントラストを確実に向上できる。
【００５５】
ここで、各遮光部７３３，７４３による遮光位置が、遮光部材７３，７４を介した光が直接入射される光学部品である第２レンズアレイ３２２に近いほど、各遮光部７３３，７４３を全閉状態とした場合の光の漏れ量は少なくなる。
これに対し、各遮光部７３３，７４３は、整流板７５，７６に対して第２レンズアレイ３２２側に配置される。これによれば、遮光部７３３，７４３に対して整流板７５，７６が第２レンズアレイ３２２側に配置される場合に比べて、遮光位置を第２レンズアレイ３２２側に近づけることができる。従って、各遮光部７３３，７４３が少なくとも光束の一部を遮光したときに、光の漏れ量を少なくすることができ、調光装置７による光量調節を適切に実施できる。
【００５６】
遮光部７３３，７３４における互いに対向する側の端部には、第２レンズアレイ３２２側に傾斜した傾斜部７３３２，７４３２が設けられている。これによれば、当該傾斜部７３３２，７４３２が設けられていない場合に比べて、前述の遮光位置を第２レンズアレイ３２２に一層近づけることができる。従って、調光装置７による光量調節をより適切に実施できる。
【００５７】
また、遮光部７３３，７４３が互いに近づいた場合に、導風部７５２は、当該遮光部７４３の傾斜部７４３２に向けて空気を導風する。これによれば、光が入射される頻度が最も高く、かつ、入射光量が多いことから、遮光部７４３において最も高温となりやすい傾斜部７４３２に、当該導風部７５２により空気をより確実に導風できる。従って、遮光部７４３を効果的に冷却できる。更に、当該傾斜部７４３２に導風された空気は、傾斜部７４３２及び端面７４３１に沿ってＹ方向先端側に流通するので、当該遮光部７４３全体を冷却できる。
加えて、遮光部７３３と第２レンズアレイ３２２との間をＹ方向先端側に流通する空気は、当該遮光部７３３の傾斜部７３３２に当たることとなる。これによれば、遮光部７３３において最も高温となりやすい傾斜部７３３２に、空気を確実に流通させることができる。従って、遮光部７３３を効果的に冷却できる。
【００５８】
遮光部７３３に対する整流部７５１の配置側と同じ側、すなわち、光束入射側に、遮光部７４３と間隔を隔てて整流部７６１が配置される。これによれば、遮光部７３３に沿って流通した空気を、遮光部７４３と整流部７６１との間に流通させることができる。従って、遮光部７４３を確実に冷却できる。
また、導風部７５２は、傾斜部７４３２に空気を導風するので、当該傾斜部７４３２に流通した空気を、遮光部７４３と整流部７６１との間に導くことができる。従って、遮光部７４３をより効果的に冷却できる。
【００５９】
整流部７５１のＹ方向先端側の端部は、傾斜部７３３２のＹ方向先端側の端部よりＹ方向基端側に位置し、整流部７６１のＹ方向基端側の端部は、傾斜部７４３２のＹ方向基端側の端部よりＹ方向先端側に位置する。これによれば、遮光部７３３，７４３における互いに対向する側の端部に位置する傾斜部７３３２，７４３２に入射される光が、当該整流部７５１，７６１により遮光されることを防止できる。すなわち、当該光が整流部７５１，７６１により遮蔽されることで、前述の遮光位置が、第２レンズアレイ３２２から遠ざかることを防止できる。従って、前述の光の漏れ量を確実に少なくすることができる。
【００６０】
［実施形態の変形］
本発明は前述の実施形態に限定されるものではなく、本発明の目的を達成できる範囲での変形、改良等は本発明に含まれるものである。
前記実施形態では、整流板７５，７６は、遮光部７３３，７４３の端面７３３１，７４３１にそれぞれ固定されて、当該遮光部７３３，７４３に対して光束入射側に位置するとした。しかしながら、本発明はこれに限らない。すなわち、整流板７５，７６は、遮光部７３３，７４３の光束出射側に位置していてもよい。更に、整流板７５，７６のうち、一方が、対応する遮光部の光束入射側に位置し、他方が、対応する遮光部の光束出射側に位置していてもよい。
更に、整流板７５，７６は遮光部材７３，７４に固定されていなくてもよく、これらが別体として設けられ、遮光部材７３，７４の進退に応じて整流板７５，７６が同方向に同量移動する構成としてもよい。
【００６１】
前記実施形態では、遮光部７３３，７４３は、第１レンズアレイ３２１と第２レンズアレイ３２２との間に配置されていたが、本発明はこれに限らない。すなわち、光源装置３１と光変調装置としての液晶パネル５３との間に配置され、当該液晶パネル５３に入射される光量を調整可能であれば、他の場所に設けられていてもよい。
更に、遮光部７３３，７４３は、Ｙ方向に沿って移動するとしたが、本発明はこれに限らない。すなわち、入射される光束の中心軸に対する直交方向にそれぞれ移動し、当該光束の少なくとも一部を遮光可能な構成であれば、遮光部が移動する方向は問わず、また、遮光部７３３，７４３が全閉状態である場合に、調光装置７を透過する光量が０とならなくてもよい。同様に、各遮光部に送風される空気の流通方向も、第１遮光部に相当する遮光部７３３側から、第２遮光部に相当する遮光部７４３側に向かって流通すればよく、Ｙ方向基端側から先端側に向かう方向に限らない。
【００６２】
前記実施形態では、遮光部７３３，７４３において互いに対向する側の端部には、互いに近接し、かつ、第２レンズアレイ３２２側に傾斜した傾斜部７３３２，７４３２が形成されているとした。しかしながら、本発明はこれに限らず、当該傾斜部７３３２，７４３２は無くてもよい。
また、前記実施形態では、導風部７５２は、傾斜部７４３２に向けて流通するように導風するとした。しかしながら、本発明はこれに限らず、第２遮光部に相当する遮光部７４３に空気が導風されればよい。
【００６３】
前記実施形態では、遮光部７４３には、当該遮光部７４３と間隔を隔てて配置される整流部７６１を有する整流板７６が取り付けられるとしたが、本発明はこれに限らない。すなわち、整流板７６は無くてもよい。また、整流板７６を設ける場合でも、整流部７６１及び遮光部７４３の間の間隔と、整流部７５１及び遮光部７３３の間の間隔とは、異なっていてもよい。
【００６４】
前記実施形態では、プロジェクター１は、光変調装置として３つの液晶パネル５３を備えていたが、本発明はこれに限らない。すなわち、２つ以下、あるいは、４つ以上の液晶パネルを用いたプロジェクターにも、本発明を適用可能である。
また、前記実施形態では、光学ユニット３は平面視略Ｌ字形状を有する構成としたが、本発明はこれに限らず、例えば、平面視略Ｕ字形状を有する構成を採用してもよい。
更に、前記実施形態では、光束入射面と光束射出面とが異なる透過型の液晶パネル５３を採用したが、光入射面と光射出面とが同一となる反射型の液晶パネルを用いてもよい。
【００６５】
前記実施形態では、光変調装置として液晶パネル５３を備えたプロジェクター１を例示したが、入射光束を画像情報に応じて変調可能な光変調装置であれば、他の構成の光変調装置を採用してもよい。例えば、マイクロミラーを用いたデバイスなど、液晶以外の光変調装置を用いたプロジェクターにも、本発明を適用することは可能である。このような光変調装置を用いた場合、光束入射側及び光束射出側の偏光板５２，５４は省略することができる。
【産業上の利用可能性】
【００６６】
本発明は、プロジェクターに好適に利用できる。
【符号の説明】
【００６７】
１…プロジェクター、６…投射光学装置、７…調光装置、９…冷却装置、３１…光源装置、５３…液晶パネル（光変調装置）、３２１…第１レンズアレイ、３２２…第２レンズアレイ、７３３…遮光部（第１遮光部）、７４３…遮光部（第２遮光部）、７５１…整流部（第１整流部）、７５２…導風部、７６１…整流部（第２整流部）、７３３２，７４３２…傾斜部、Ａｘ…照明光軸（光束の中心軸）。
【図１】
2014085368.tif 000003
【図２】
2014085368.tif 000004
【図３】
2014085368.tif 000005
【図４】
2014085368.tif 000006
【図５】
2014085368.tif 000007
【図６】
2014085368.tif 000008
【図７】
2014085368.tif 000009